(57)【要約】【課題】顧客に違和感を与えないように、自然な輝度調整を行うことができる照明装置、照明システムおよび照明方法を提供する。【解決手段】少なくとも照明範囲の一部となる検知エリアの物体の有無を検知する検知部２５を有する他の照明装置２と連携して輝度調整を行う照明装置２であって、該照明装置の輝度向上によって影響を受ける他の照明装置２の、照明ＩＤを記憶するＩＤ記憶部２２と、物体を検知した他の照明装置２の照明ＩＤを取得する照明ＩＤ取得部２３と、取得した照明ＩＤがＩＤ記憶部２２内に存在する場合、輝度を上げる輝度調整部２６と、を備えた。【選択図】図４
2010186635.tif 000002
【特許請求の範囲】
【請求項１】
少なくとも照明範囲の一部となる検知エリアの物体の有無を検知する検知部を有する他の照明装置と連携して輝度調整を行う照明装置であって、
該照明装置の輝度向上によって影響を受ける前記他の照明装置の照明ＩＤを記憶するＩＤ記憶部と、
前記物体を検知した前記他の照明装置の照明ＩＤを取得する照明ＩＤ取得部と、
取得した前記照明ＩＤが前記ＩＤ記憶部内に存在する場合、輝度を上げる輝度調整部と、を備えたことを特徴とする照明装置。
【請求項２】
自身に前記検知部を備えたことを特徴とする請求項１に記載の照明装置。
【請求項３】
前記検知部は、
複数の受光素子をマトリクス状に分布させたセンサーであることを特徴とする請求項１または２に記載の照明装置。
【請求項４】
前記照明ＩＤ取得部は、
電力線通信により前記照明ＩＤを取得することを特徴とする請求項１ないし３のいずれか１項に記載の照明装置。
【請求項５】
前記ＩＤ記憶部は、
前記他の照明装置に与える影響度を前記照明ＩＤに関連付けて記憶し、
前記輝度調整部は、
前記影響度に応じて、輝度を調整することを特徴とする請求項１ないし４のいずれか１項に記載の照明装置。
【請求項６】
請求項１ないし５のいずれか１項に記載の照明装置と、前記他の照明装置と、前記照明装置および前記他の照明装置を制御する制御装置と、から成る照明システムであって、
前記他の照明装置は、
周辺における所定の範囲の照度を計測する照度計測部をさらに備え、
前記制御装置は、
前記他の照明装置の前記照度計測部により計測した照度の情報に基づき、前記照明装置の輝度向上が、前記他の照明装置に与える影響度を計測する影響度計測部と、
前記他の照明装置の照明ＩＤと、前記影響度と、を関連付けて前記照明装置に送信する照明情報送信部と、を備えたことを特徴とする照明システム。
【請求項７】
複数の照明装置により特定のエリアを照明する照明方法であって、
前記エリア内で移動する物体の位置を連続的に検知し、この検知結果に基づいて、前記エリア内の照度が前記物体を中心に外方へ向かって除々に低くなるように前記複数の照明装置の輝度を調整することを特徴とする照明方法。
【発明の詳細な説明】
【技術分野】
【０００１】
本発明は、輝度の調整が可能な照明装置、照明システムおよび照明方法に関するものである。
【背景技術】
【０００２】
従来、所定の領域内の人間の有無の検知により、照明の明るさを調整する照明用電力の節電システムが知られている。このシステムは、１以上の照明器具、各照明器具に対応して設けられた人検知センサー、および全体を制御する調光制御回路により構成されており、人検知センサーにより人間が検知されると照明を明るくし、人間が検知されない場合、照明を暗くする（例えば、特許文献１参照）。
【先行技術文献】
【特許文献】
【０００３】
【特許文献１】特開２００３−１７８８９２号公報
【発明の概要】
【発明が解決しようとする課題】
【０００４】
ところで、上記のシステムでは、人が居る場所の近辺のみ照明を明るくする。このため、店舗のフロアーのような広い空間においてこれを用いる場合、顧客のいる近辺のみが明るくなり、それ以外は暗くなるため、違和感があるという問題がある。
【０００５】
本発明は、上記の問題に鑑みてなされたものであり、顧客に違和感を与えないように、自然な輝度調整を行うことができる照明装置、照明システムおよび照明方法を提供することを目的とする。
【課題を解決するための手段】
【０００６】
本発明の照明装置は、少なくとも照明範囲の一部となる検知エリアの物体の有無を検知する検知部を有する他の照明装置と連携して輝度調整を行う照明装置であって、該照明装置の輝度向上によって影響を受ける他の照明装置の照明ＩＤを記憶するＩＤ記憶部と、物体を検知した前記他の照明装置の照明ＩＤを取得する照明ＩＤ取得部と、取得した照明ＩＤがＩＤ記憶部内に存在する場合、輝度を上げる輝度調整部と、を備えたことを特徴とする。
【０００７】
また、本発明の照明装置において、自身に検知部を備えたことが好ましい。
【０００８】
これらの構成によれば、他の照明装置が物体の有無を検知して輝度を向上させた場合に、自身の記憶部内に当該他の照明装置の照明ＩＤがあれば、自身の輝度を上げる。また、自身が物体を検知した場合に、他の照明装置の輝度を上げることができる。つまり、１の照明装置の輝度向上と連動して、当該１の照明装置と関連のある他の照明装置も輝度を上げるため、物体の近辺のみならず、その周辺の所定の範囲をも明るくすることができる。これにより、例えば、店舗のフロアーのように広い空間でも、顧客の近辺のみならず、その周辺も明るくすることができるため、顧客に違和感を与えない適切な明るさにすることができる。
また、顧客がいない場合は、輝度を下げたまま待機するため、消費電力を節約できる。さらに、必要なときに輝度を上げる、つまり、高レベルの輝度を常に維持しないことで、照明装置の寿命を延ばすことができる。
【０００９】
本発明の照明装置において、検知部は、複数の受光素子をマトリクス状に分布させたセンサーであることが好ましい。
【００１０】
この構成によれば、検知部で物体の動きを捉えることができるため、検知した物体が、静止物か動く物体かを判別できる。これにより、人間（動く物体）がいる場合にのみ照明装置の輝度を上げることができ、単に物が置いてあるだけの場合に照明装置の輝度を上げることを防止できる。
【００１１】
本発明の照明装置において、照明ＩＤ取得部は、電力線通信により照明ＩＤを取得することが好ましい。
【００１２】
この構成によれば、電力線通信を行うため、例えば、専用のネットワークケーブルの付設作業等が不要となり、配線に係るコストを削減できる。
【００１３】
本発明の照明装置において、ＩＤ記憶部は、他の照明装置に与える影響度を照明ＩＤに関連付けて記憶し、輝度調整部は、影響度に応じて、輝度を調整することが好ましい。
【００１４】
この構成によれば、影響度に応じて輝度を調整できるため、顧客を検知した照明装置を基準として、段階的に、あるいは当該照明装置の明るさをカバーするように輝度を調整することができる。
【００１５】
本発明の照明システムは、上記に記載の照明装置と、他の照明装置と、照明装置および他の照明装置を制御する制御装置と、から成る照明システムであって、他の照明装置は、周辺における所定の範囲の照度を計測する照度計測部をさらに備え、制御装置は、他の照明装置の照度計測部により計測した照度の情報に基づき、照明装置の輝度向上が、他の照明装置に与える影響度を計測する影響度計測部と、他の照明装置の照明ＩＤと、影響度と、を関連付けて照明装置に送信する照明情報送信部と、を備えたことを特徴とする。
【００１６】
この構成によれば、制御装置で、各照明装置で計測した照度の情報に基づいて照明装置間の影響度を計測し、この影響度に基づいて、各照明装置の輝度調整を行うことができる照明システムを提供することができる。
【００１７】
本発明の照明方法は、複数の照明装置により特定のエリアを照明する照明方法であって、エリア内で移動する物体の位置を連続的に検知し、この検知結果に基づいて、エリア内の照度が物体を中心に外方へ向かって除々に低くなるように複数の照明装置の輝度を調整することを特徴とする。
【００１８】
この照明方法によれば、人間（物体）の動きに合わせて、その人の周囲を明るくすると共に、当該人からの距離が離れるにつれて照明を暗くするように、照明装置の輝度を調整する方法を提供することができる。
【図面の簡単な説明】
【００１９】
【図１】本実施形態に係る照明システムの各構成要素のブロック図である。
【図２】各照明装置の輝度向上が、他の照明装置の照明範囲内の照度に与える影響度を計測する手順について説明するフローチャートである。
【図３】各照明装置において、輝度を調整する手順について説明するフローチャートである。
【図４】人間の動きに合わせて、照明装置の輝度の調整を説明する図である。
【図５】照明装置Ａ〜Ｇに記憶されている各種情報を説明する図である。
【発明を実施するための形態】
【００２０】
以下、添付の図面を参照して、本発明の一実施形態に係る照明装置および照明システムについて説明する。なお、本実施形態では、各々の照明装置の輝度向上が他の照明装置の照明範囲内の照度に与える影響度は相互に等しいものとする。
【００２１】
図１は、本実施形態の照明システム１の制御ブロック図である。図１に示すように、照明システム１は、輝度の調整が可能な１以上の照明装置２と、全ての照明装置２を制御する中央制御装置３と、により構成されている。
【００２２】
中央制御装置３（制御装置）は、制御部１１、記憶部１２、通信部１３（照明情報送信部）および影響度計測部１４を備えている。制御部１１は、中央制御装置３全体を制御する処理部であり、ＣＰＵ１５（Central Processing Unit）を中心とするマイクロプロセッサとして構成されており、制御プログラムを記憶したＲＯＭ１６（Read Only Memory）や一時的にデータを記憶するＲＡＭ１７（Random Access Memory）などにより構成されている。
【００２３】
記憶部１２は、全ての照明装置２について、各照明装置２を識別するために割り当てられた照明ＩＤを記憶する。通信部１３は、各照明装置２と電力線通信を行う手段として機能する。制御部１１は、通信部１３を介し、各照明装置２に対して輝度調整の指令を出すことで各照明装置２の輝度を制御したり、あるいは、１の照明装置２からの各種情報を他の照明装置２に通知する。
【００２４】
影響度計測部１４は、全ての照明装置２に対して、各々の照明装置２の輝度を上げた場合の他の照明装置２の照明範囲の照度に与える影響度を計測する。具体的には、１の照明装置２の輝度を上げた場合の他の照明装置２の照明範囲内の照度を取得し、当該照度の情報（以下、「照度情報」と称す。）に基づいて、１の照明装置２の輝度向上が他の照明装置２に与える影響度を計測する。
【００２５】
この影響度は、照度を所定の閾値に従って３つのレベル（高レベル／中レベル／低レベル）に分け、照明装置２から受信した照度情報が、高レベルに該当する場合は影響度「大」とし、中レベルに該当する場合は影響度「中」とし、低レベルに該当する場合は影響度「小」として計測される。
【００２６】
そして、制御部１１は、照度情報を受信した照明装置２の照明ＩＤ（影響を受ける照明装置２の照明ＩＤ）と、当該照度情報に基づく影響度と、を関連付けて、上記の輝度を上げた照明装置２（影響を与える照明装置２）に送信する。この時、制御部１１は、影響度が「小」に該当する照明装置２は、輝度向上による影響を受けないと判別し、当該照明装置２に関する情報は送信しない。つまり、制御部１１は、輝度を上げた照明装置２に対し、当該照明装置２が与える影響度が「大」または「中」の他の照明装置２の情報のみを送信する。
【００２７】
照明装置２は、記憶部２２（ＩＤ記憶部）、通信部２３（照明ＩＤ取得部）、照度センサー２４（照度計測部）、赤外線センサー２５（検知部）、輝度調整部２６、およびこれら各部や各センサーを制御する制御部２１により構成されている。制御部２１は、照明装置２全体を制御する処理部であり、ＣＰＵ２７を中心とするマイクロプロセッサとして構成されており、制御プログラムおよび自身を識別するための照明ＩＤを記憶したＲＯＭ２８（Read Only Memory）や、一時的にデータを記憶するＲＡＭ２９などにより構成されている。
【００２８】
通信部２３は、中央制御装置３と電力線通信を行う手段として機能する。制御部２１は、通信部２３を介して、中央制御装置３から輝度調整の指令の受信や、各種情報（照明ＩＤ、影響度および照度情報等）の送受信を行う。
【００２９】
照度センサー２４は、自身の周辺における所定の照明範囲内の照度を計測する手段である。制御部２１は、照度センサー２４により計測した照度を自身の照明ＩＤと共に中央制御装置３に送信する。赤外線センサー２５は、自身の周辺における所定範囲内の人間（物体）の有無を検知する手段である。赤外線センサー２５を用いることで、検知した物体の動きを捉えることができるため、検知した物体が一定時間を経過しても動かない場合は静止物とみなし、これを検知対象から除外することができる。これにより、人がいる場合にのみ照明装置２の輝度を上げることができ、単に物が置いてあるだけの場合に照明装置２の輝度を上げることを防止できる。
【００３０】
輝度調整部２６は、自身の輝度を調整する手段として機能する。本実施形態では、この輝度調整部２６により照明装置２の輝度レベルを３段階（高輝度／中輝度／低輝度）に調整可能とする。なお、高輝度とは、一般的な店舗等において、顧客に標準的な明るさを提供することができる輝度である。また、低輝度とは照明を切った状態（照明オフの状態）を示すものではなく、高輝度および中輝度に比べ消費電力を抑えて照明装置２を点灯することを示す。
【００３１】
記憶部２２は、自身の輝度向上によって、他の照明装置２の照明範囲内の照度が影響を受ける当該他の照明装置２の照明ＩＤと、その影響度と、当該影響度に対応する自身の輝度レベルと、を関連付けて記憶する。具体的には、影響度が「大」であれば自身を「高輝度」で点灯するようにし、影響度が「中」であれば自身を「中輝度」で点灯するようにする。
【００３２】
以上の構成により、照明装置２は、自身の赤外線センサー２５および他の照明装置２の赤外線センサー２５による人間の検知状況、および人間を検知した照明装置２に関連付けられた影響度に基づいて、自身の輝度を調整する（詳細は後述する）。
【００３３】
ここで、図２のフローチャートを参照し、中央制御装置３により、各照明装置２の輝度向上によって、他の照明装置２の照明範囲内の照度が受ける影響度を計測する手順について説明する。なお、この影響度の計測は、照明システム１の初期設定を行う際に実行される。
【００３４】
まず、中央制御装置３は、電力線通信により、全ての照明装置２から照明ＩＤを取得する（Ｓ０１）。そして、中央制御装置３は、取得した照明ＩＤに基づいて、全ての照明装置２の輝度を調整して、高輝度／中輝度／低輝度の３つの輝度レベルを決定し、これらの輝度レベルを全ての照明装置２に設定する（Ｓ０２）。
【００３５】
次に、中央制御装置３は、取得した照明ＩＤに基づいて、全ての照明装置２を低輝度に設定する（Ｓ０３）。この状態で、中央制御装置３は、１の照明装置２を高輝度にする（Ｓ０４）。そして、この状態で、他の全ての照明装置２（上述の高輝度にした照明装置２以外の照明装置２）の照度センサー２４により、その照明装置２の照明範囲内の照度を測定し、中央制御装置３は、これら他の照明装置２から、各照明装置２における照度の測定結果（照度情報）を取得する（Ｓ０５）。
【００３６】
そして、中央制御装置３は、これら照度情報に基づいて、他の照明装置２毎に、高輝度にした照明装置２から受ける影響度を設定する（Ｓ０６）。つまり、測定した照度の高さに応じ、各照明装置２に影響度「大」、「中」、「小」を設定する。そして、影響度が「大」または「中」の他の照明装置２の照明ＩＤと、その影響度とを関連付けて、高輝度にした照明装置２に送信する（Ｓ０７）。つまり、この時点で、高輝度にされた照明装置２には、自身の輝度向上により影響を受ける他の照明装置２の照明ＩＤと、その影響度とが記憶される。
【００３７】
続いて、中央制御装置３は、高輝度にした照明装置２を低輝度に戻す（Ｓ０８）。そして、中央制御装置３は、全ての照明装置２について、照明ＩＤの昇順（あるいは降順）に、Ｓ０４からＳ０８までの処理を繰り返し（Ｓ０９；Ｎｏ）、全ての照明装置２について、影響度の測定が終わった時点で測定処理を終える（Ｓ０９；Ｙｅｓ）。これにより、全ての照明装置２には、自身の輝度向上により影響を受ける他の照明装置２の照明ＩＤおよび影響度が記憶される。
【００３８】
次に、図３を参照して、各照明装置２において、輝度を調整する手順について説明する。なお、各照明装置２には、上述の測定処理により、自身の輝度向上により影響を受ける他の照明装置２の照明ＩＤおよび影響度が記憶されているものとする。
【００３９】
まず、照明装置２は、自身の赤外線センサー２５により人間を検知したか否かを判別する（Ｓ１１）。自身の赤外線センサー２５により人間を検知した場合（Ｓ１２）、人間を検知したか否かを示すフラグ（以下、「検知フラグ」と称す。）を、「１（検知した）」にセットし（Ｓ１３）、自身の輝度を高輝度にする。つまり、高輝度で点灯する（Ｓ１４）。そして、人間を検知した旨を示す信号（以下、「検知信号」と称す。）と、自身の照明ＩＤと、を他の全ての照明装置２に送信する（Ｓ１５）。
【００４０】
この時、他の照明装置２から検知信号（つまり、他の照明装置２で人間が検知された旨を示す信号）、または人間が検出されなくなった旨を示す信号（以下、「不検知信号」と称す。）を受信した場合（あるいは、受信していた場合）、送信元の他の照明装置２の照明ＩＤが自身に登録されていたとしても、当該照明ＩＤに関連付けられた影響度に基づく輝度の調整は行わない。つまり、自身の赤外線センサー２５により人間を検知した場合は、他の照明装置２からの検出信号または不検知信号は無視し、常に高輝度で点灯する。
【００４１】
一方、自身の赤外線センサー２５により人間を検知していない場合（Ｓ１６）、照明装置２は、検知フラグが「１」か否かを判別する（Ｓ１７）。検知フラグが「１」の場合（Ｓ１８；Ｙｅｓ）、他の全ての照明装置２に対して、自身の照明ＩＤおよび不検知信号を送信すると共に（Ｓ１９）、検知フラグを「０（検知しない）」にセットし（Ｓ２０）、Ｓ２１以降の処理を行う。一方、検知フラグが「０」の場合（Ｓ１８；Ｎｏ）、そのままＳ２１以降の処理を実行する。
【００４２】
つまり、人間を検知できない場合、人間が移動した為に検知できないのか、あるいは元々人間がいない為検知できないのかを検知フラグの状態で判別する。そして、人間が移動した為に検知できない場合には（検知フラグが「１」の状態で人間を検知できない場合）、他の照明装置２に対して不検知信号を送信して、その旨を通知し、元々人間がいない為検知できない場合はそのままの状態で待機する。
【００４３】
続いて、照明装置２は、他の照明装置２による人間の検知状況に応じて、自身の輝度を調整する。まず、他の照明装置２から検知信号および不検知信号を受信していない場合（Ｓ２１）、照明装置２は、低輝度で点灯する（Ｓ２２）。
【００４４】
一方、他の照明装置２から不検知信号および照明ＩＤを受信した場合（Ｓ２３）、当該他の照明装置２の照明ＩＤが自身の記憶部２２に登録（記憶）されているか否かを判別する（Ｓ２４）。照明ＩＤが登録されていない場合（Ｓ２５；Ｎｏ）、照明装置２は、この不検知信号を無視し、現状の輝度を維持する（Ｓ２６）。一方、照明ＩＤが登録されている場合（Ｓ２５；Ｙｅｓ）、照明装置２は、自身に登録している照明装置２の内、受信した照明ＩＤの照明装置２を除く１以上の照明装置２から検知信号を受信していた場合（Ｓ２７；Ｙｅｓ）、つまり、登録している１以上の照明装置２において人間が検知されている場合、これら各照明装置２（照明ＩＤ）に関連付けられた影響度の内、１番高い影響度に基づいて輝度を設定する（Ｓ２８）。一方、登録している他の照明装置２から検知信号を受信していない場合（Ｓ２７；Ｎｏ）、つまり、登録している全ての照明装置２が人間を検知していない場合、低輝度で点灯する（Ｓ２９）。
【００４５】
また、他の照明装置２から検出信号および照明ＩＤを受信した場合（Ｓ３０）、当該他の照明装置２の照明ＩＤが自身に登録されているか否かを判別する（Ｓ３１）。照明ＩＤが登録されていない場合（Ｓ３２；Ｎｏ）、照明装置２は、この検出信号を無視し、現状の輝度を維持する（Ｓ３３）。一方、照明ＩＤが登録されている場合（Ｓ３２；Ｙｅｓ）、自身の現在の輝度レベルと、受信した照明ＩＤの影響度に対応する輝度レベルとを比較し（Ｓ３４）、高いレベルの輝度で点灯する（同じ輝度レベルであれば現状を維持する）。
【００４６】
次に、図４および図５を参照して、顧客（人間）の動きに合わせて照明装置２の輝度を調整（変更）する様子について説明する。なお、図４では、７台の照明装置２（照明装置Ａ〜照明装置Ｇ）が等間隔で設置されており、照明装置２間の相互の影響度は等しいものとする。
【００４７】
図４（ａ）は、全ての照明装置２（照明装置Ａ〜照明装置Ｇ）の初期状態を示す図であり、全ての照明装置２は低輝度で点灯している。これら各照明装置２には、自身の輝度向上により影響を受ける他の照明装置２の照明ＩＤ、影響度および影響度に対応する輝度レベルが記憶されている（図５参照）。例えば、照明装置Ｄには、自身の両サイドにある照明装置Ｃおよび照明装置Ｅは影響度「大」／「高輝度」、照明装置Ｂおよび照明装置Ｆは影響度「中」／「中輝度」で登録されており、照明装置Ａおよび照明装置Ｇは、影響を与えないため（影響度「小」）未登録となっている。
【００４８】
図４（ｂ）は、図４（ａ）の状態で、照明装置Ｄが顧客を検知した場合の各照明装置２の輝度の変化を示す図である。図４（ｂ）に示すように、照明装置Ｄが顧客を検知すると、中央制御装置３を介して、他の照明装置２（照明装置Ａ〜ＣおよびＥ〜Ｇ）に対し、自身の照明ＩＤおよび検知信号を送信すると共に、自身の輝度を低輝度から高輝度に上げる。
【００４９】
一方、他の照明装置２（照明装置Ａ〜ＣおよびＥ〜Ｇ）は、受信した照明装置Ｄの照明ＩＤに関連付けられた影響度に基づいて、自身の輝度を調整する。つまり、照明装置Ｃおよび照明装置Ｅの輝度は低輝度から高輝度に上がり、照明装置Ｂおよび照明装置Ｆの輝度は低輝度から中輝度に上がり、照明装置Ａおよび照明装置Ｇは、照明装置Ｄが登録されていない為、低輝度のままの状態で点灯する。
【００５０】
次に、図４（ｃ）に示すように、図４（ｂ）の状態から顧客が照明装置Ｃの下に移動すると、照明装置Ｄは顧客を検知しなくなるため、他の照明装置２（照明装置Ａ〜ＣおよびＥ〜Ｇ）に対して、自身の照明ＩＤおよび不検知信号を送信する。また、照明装置Ｃは人間を検知し、他の照明装置２（照明装置Ａ、Ｂ、Ｄ〜Ｇ）に対して、自身の照明ＩＤおよび検知信号を送信する。
【００５１】
この時、照明装置Ｃは、自身で顧客を検知したため、その輝度を高輝度にする（結果として高輝度を維持する）。また、照明装置Ｄは、照明装置Ｃの照明ＩＤに関連付けられた影響度に基づいて、自身の輝度を調整する。また、他の照明装置２（照明装置Ａ、Ｂ、Ｅ〜Ｇ）は、不検知信号を受信した照明装置Ｄの影響度に対応する輝度レベル（図４（ｂ）で設定された輝度レベル）を無視し、照明装置Ｃの照明ＩＤに関連付けられた影響度に基づいて、自身の輝度を調整する。
【００５２】
つまり、照明装置Ａの輝度は低輝度から中輝度に上がり、照明装置Ｂの輝度は中輝度から高輝度に上がり、照明装置Ｄの輝度は高輝度のまま維持され、照明装置Ｅの輝度は高輝度から中輝度に下がり、照明装置Ｆの輝度は中輝度から低輝度に下がり、照明装置Ｇの輝度は低輝度のまま維持される。このように、各照明装置２は、図４（ｂ）および（ｃ）の曲線Ｌで示すように、人間の動きに合わせて、自動的に顧客の周囲の照度を上げ（明るくし）、顧客からの距離が離れるにつれて照度を下げるように（暗くするように）、自身の輝度調整を行う。
【００５３】
以上のように、本実施形態では、他の照明装置２が人間を検知して輝度を向上させた場合に、自身の記憶部２２に当該他の照明装置２の照明ＩＤがあれば、自身の輝度を上げる。また、自身が物体を検知した場合に、他の照明装置２の輝度を上げることができる。つまり、１の照明装置２の輝度向上と連動して、当該１の照明装置２と関連のある他の照明装置２の輝度も上げるため、人間の近辺のみならず、その周辺の所定の範囲をも明るくすることができる。これにより、例えば、店舗のフロアーのように広い空間でも、顧客の近辺のみならず、その周辺も明るくすることができるため、顧客に違和感を与えない適切な明るさにすることができる。
【００５４】
また、顧客がいない場合は、輝度を下げたまま待機するため、消費電力を節約できる。さらに、必要なときに輝度を上げる、つまり、高レベルの輝度を常に維持しないことで、照明装置の寿命を延ばすことができる。
【００５５】
さらに、影響度に応じて輝度を調整できるため、人間を検知した照明装置２を基準として、段階的に輝度を調整することができる。
【００５６】
また、照明装置２と中央制御装置３とは、電力線通信を行うため、例えば、専用のネットワークケーブルの付設作業等が不要となり、配線に係るコストを削減できる。
【００５７】
なお、本実施形態では、輝度レベルおよび影響度を３段階に分けているが、あくまでも１例であり、さらに細分化することも可能である。これにより、より一層、自然な明るさを顧客に提供することができる。更に、「高輝度」、「中輝度」、「小輝度」の各輝度レベル自体も、別途設置した外光センサーなどにより外光の状況を把握し、晴天時には高く、雨天時や夜間には低く設定することにより、外部環境と調和し、且つ、更なる消費電力の削減を図ることができる。
【００５８】
また、本実施形態では、照明装置２間の影響度は相互に等しいものとしているが、これに限るものではなく、相互の影響度が異なる場合にも適用可能である。
【００５９】
また、照明装置２に記憶する情報として、自身の輝度向上により影響を受ける他の照明装置２の照明ＩＤおよび影響度を記憶するのではなく、他の照明装置２の輝度向上によって自身が影響を受ける当該他の照明装置２の照明ＩＤおよび影響度を記憶するようにしても良い。
【００６０】
また、本実施形態では、全ての照明装置２を対象にして影響度の測定および輝度調整を行っているが、これに限るものではない。例えば、照明装置２をグループ分けし、グループ単位で影響度の測定や輝度調整を行うようにしても良い。
【００６１】
また、上述した実施例によらず、照明システム１の装置構成や処理の各工程、および照明装置２や中央制御装置３の機器構成や処理工程等について、本発明の要旨を逸脱しない範囲で、適宜変更も可能である。
【符号の説明】
【００６２】
１…照明システム  ２…照明装置  ３…中央制御装置  １３…通信部  １４…影響度計測部  ２２…記憶部  ２３…通信部  ２４…照度センサー  ２５…赤外線センサー  ２６…輝度調整部
【図１】
2010186635.tif 000003
【図２】
2010186635.tif 000004
【図３】
2010186635.tif 000005
【図４】
2010186635.tif 000006
【図５】
2010186635.tif 000007